(57)【要約】【課題】一体皿式の回胴式遊技機において機内に残存する遊技者の手持ち球を確実に機外に排出できるようにする。【解決手段】供給される遊技球Ｂを所定数ずつ機内に取込んで順次遊技を許可する取込装置３２と、遊技中に当たりが出ると賞球口２２から排出される遊技球を貯留する球皿２０と、該球皿に貯留されている遊技球を上昇させ、前記取込装置に供給するリフタ装置２８と、を備えた回胴式遊技機において、前記球皿２０の底部が一方的に傾斜して形成され、該底部の上流側に前記賞球口が、下流側に前記リフタ装置が、それぞれ配設され、これら賞球口とリフタ装置との間の底部に、遊技球を下方に落下させる開閉可能な球抜き穴３４が形成され、前記球抜き穴より上流側に、前記取込装置から遊技球を球皿に払い戻す排出口３８が配設されている。【選択図】図３
2009226161.tif 000002
【特許請求の範囲】
【請求項１】
供給される遊技球を所定数ずつ機内に取込んで順次遊技を許可する取込装置と、
遊技中に当たりが出ると賞球口から排出される遊技球を貯留する球皿と、
該球皿に貯留されている遊技球を上昇させ、前記取込装置に供給するリフタ装置と、を備えた回胴式遊技機において、
前記球皿の底部が一方的に傾斜して形成され、該底部の上流側に前記賞球口が、下流側に前記リフタ装置が、それぞれ配設され、
これら賞球口とリフタ装置との間の底部に、遊技球を下方に落下させる開閉可能な球抜き穴が形成され、
前記球抜き穴より上流側に、前記取込装置から遊技球を球皿に払い戻す排出口が配設されていることを特徴とする回胴式遊技機。
【請求項２】
前記球皿の底部に、前記排出口から払い戻された遊技球を、前記球抜き穴に案内する溝部を形成したことを特徴とする請求項１に記載の回胴式遊技機。
【発明の詳細な説明】
【技術分野】
【０００１】
本発明は、回胴式遊技機、特に遊技球を遊技媒体として使用する回胴式遊技機に関する。
【背景技術】
【０００２】
遊技店では、いわゆるパチスロと呼ばれるメダルを遊技媒体として使用するスロットマシンが一般に提供されている。一方、これとは別に、パチンコ用の遊技球を媒体として使用する、いわゆるパロットと呼ばれるスロットマシン（回胴式遊技機）も提供されている。
【０００３】
このような遊技球を遊技媒体とするパロットの場合、パチンコの場合と同様に、「当たり」が出ると所定数の賞球が球皿に払い出されるようになっており、その球皿の配置にも、賞球を上皿で受けて下皿に排出できる上下皿式と、下部に配置された１つの皿で受ける一体皿式とがある。
【０００４】
上下皿式の場合は、遊技者が「ベットボタン」を押すことにより、所定数（一般的に５個又は１５個）が上皿から取込装置を経由してマシン（機）内に取込まれ、遊技を開始することができるようになっている。この上下皿式の場合は、通常のパチンコ機において、球皿から発射装置へ向けて傾斜がついているのと同様に、球皿から取込装置へ向けて傾斜があり、重力を利用して球皿から取込装置へ遊技球を送り込んでいる。
【０００５】
一方、球皿を低い位置に配置した一体皿式の場合には、取込装置の方が上に位置するため、球皿から取込装置の間にリフタ装置を用いて、遊技球を持ち上げるようにしたものがある。この種の回胴式遊技機としては、低い位置の球皿から自動投入装置により投入口まで上昇させ、該投入口より取込装置を介してマシン内に取込むようにしたものが特許文献１に開示されている。
【０００６】
いずれの方式の回胴式遊技機でも、「ベットボタン」を押したもののゲームを取りやめる場合は、「精算ボタン」を押すことにより遊技球が球皿へ返却されるようになっている。
【０００７】
又、保有する遊技球（手持ち球）がある状態で遊技を終了する場合は、遊技者が球抜きレバーや球抜きボタンを操作して球抜きを行うことにより球皿から、いわゆるドル箱へ遊技球を移し変えることができるようになっている。
【０００８】
ところで、遊技者の手持ち球には、球皿内だけでなく、機内の前記取込装置に供給されているものもあり、この遊技球を回収する場合には、該取込装置を介して行うことになる。
【０００９】
このような取込装置を介して行う遊技球の回収は、上下皿式のパロットの場合は、取込装置から下方に位置する下皿へ排出すればよいので容易に対応することができる。
【００１０】
【特許文献１】特開２００６−２７１６１７号公報
【発明の開示】
【発明が解決しようとする課題】
【００１１】
しかしながら、一体皿式のパロット（回胴式遊技機）の場合は、球皿からリフタ装置を介して取込装置に供給された遊技球を、該取込装置から球皿へ排出することになるため、排出された遊技球を球皿から機外へ確実に排出するためには工夫が要求される。
【００１２】
本発明は、前記従来の問題点を解決するべくなされたもので、取込装置等の機内に供給されている遊戯者の手持ち球を確実に機外に排出することができる一体皿式の回胴遊技機を提供することを課題とする。
【課題を解決するための手段】
【００１３】
本発明は、供給される遊技球を所定数ずつ機内に取込んで順次遊技を許可する取込装置と、遊技中に当たりが出ると賞球口から排出される遊技球を貯留する球皿と、該球皿に貯留されている遊技球を上昇させ、前記取込装置に供給するリフタ装置と、を備えた回胴式遊技機において、前記球皿の底部が一方的に傾斜して形成され、該底部の上流側に前記賞球口が、下流側に前記リフタ装置が、それぞれ配設され、これら賞球口とリフタ装置との間の底部に、遊技球を下方に落下させる開閉可能な球抜き穴が形成され、前記球抜き穴より上流側に、前記取込装置から遊技球を球皿に払い戻す排出口が配設されているようにしたことにより、前記課題を解決したものである。
【００１４】
本発明においては、前記球皿の底部に、前記排出口から払い戻された遊技球を、前記球抜き穴に案内する溝部を形成するようにしてもよい。
【発明の効果】
【００１５】
本発明によれば、取込装置から払い戻される遊技球を球皿に排出する排出口を、該球皿から遊技球を下方へ排出する球抜き穴より上流側に配設するようにしたので、取込装置等の機内に残っている遊技球の全てを球抜き穴から排出することができる。
【発明を実施するための最良の形態】
【００１６】
以下、図面を参照して、本発明の実施の形態について詳細に説明する。
【００１７】
図１は、本発明に係る一実施形態の回胴式遊技機の全体を示す分解斜視図である。
【００１８】
本実施形態の回胴式遊技機は、遊技球を遊技媒体とする一体皿式のスロットマシン（パロット）であり、外枠１０に遊技枠１２をはめ込んだ後、遊技枠１２を前面扉１４により覆った構造になっている。
【００１９】
遊技枠１２には、その中央部に３つのリールを備えたリール装置１６が配置され、各リールが裏側の回胴部（リールユニット）により回転されるようになっている。
【００２０】
又、遊技枠１２の下部には、図２に拡大して示すように、球皿２０が配設されている。この球皿２０は、図中右方向に下降する傾斜面からなる底部が形成され、その上流端部には、遊技時の「当たり」により賞球が排出される賞球払出し口（賞球口）２２が配設され、該払い出し口２２から排出された遊技球は転動して下流側に供給されるようになっている。
【００２１】
この球皿２０の下流側には、図３に更に拡大して示すように、遊技球を一列に整列させるために一段高くした土手状の受皿下部整列部２４が形成され、該整列部２４により更に下流側のリフタ経路２６に遊技球を一列状態で供給することが可能になっている。
【００２２】
このようにリフタ経路２６に一列状態で供給された遊技球はリフタ機構（リフタ装置）２８により上昇され、その上昇端部の下流側に下方に傾斜して配設されたリフタ取込経路３０に供給され、更にその下流側に配設されている取込装置３２に対して、図示されているように遊技球Ｂが整列して待機されるようになっている。
【００２３】
このように取込装置３２に対しては、例えば１５個等の１回の遊技を可能とする所定数の遊技球Ｂが待機され、図１に示したベットボタン１４Ａを遊技者が押すことにより、該取込装置３２により待機中の遊技球が機内に取込まれ、遊技が許可されるようになっている。
【００２４】
又、前記球皿２０の底部中央付近には球抜き穴３４が形成され、外側に取り付けられている球抜きレバー３４Ａを回動することにより、常時は閉じている球抜き穴３４を開放し、球皿２０にたまっている遊技球を落下させて機外に取出すことが可能になっている。
【００２５】
従って、遊戯中に「大当たり」して大量の遊技球が賞球として払い出された場合は、球抜き穴３４を適宜開放し、その下に置いたドル箱に移し替えながら遊技を継続することができると共に、ゲーム（遊技）を終了する時には自分の手持ち球を同様に取出して回収することができる。
【００２６】
しかしながら、手持ち球には球皿２０内のものだけではなく、前述したような取込装置３２に対する待機球等の機内に取込まれた状態のものもある。
【００２７】
そこで、本実施形態では、機内に存在する遊技球をも回収できるようにするために、取込装置３２から球抜き経路３６を介して、球皿２０の側壁部に形成されている球抜き経路出口（排出口）３８から該球皿２０に排出できるようにしてある。
【００２８】
この球抜き経路出口３８は、前記球抜き穴３４より上流側に配設され、該経路出口３８から排出された遊技球は自重により該球抜き穴３４へ自然に誘導されるようになっている。
【００２９】
以上の構成において、図４に示すように球皿２０内に手持ち球Ｂがある状態で、遊技を終える場合の手順を以下に説明する。
【００３０】
（１）球抜きレバー３４Ａを操作し、球抜き穴３４から球皿２０への球抜きを行い、遊技球Ｂを下に置いた機外ドル箱（図示せず）に排出させる。その結果、図５に示すように、球抜き穴３４よりも上流側にある遊技球を排出させることができる。
【００３１】
この段階では、球皿２０の球抜き穴３４より下流側には、球皿２０内と共に前記リフタ経路２６、リフタ機構２８、リフタ取込経路３０、取込装置３２には手持ち球が残った状態になっている。
【００３２】
（２）この状態で、図示しない「精算ボタン」を押すと、取込装置３２内の経路切替えシャッタ（図示せず）が動作し、遊技球Ｂが取込装置３２よりその球抜き経路３６を通り、経路出口３８を経て球皿２０へ排出される。球皿２０へ排出された遊技球Ｂは、球皿下流へ向かう途中で、開放されている球抜き穴３４より機外ドル箱へ排出させることができる。取込装置３２内の前記経路切替えシャッタは、図示しないソレノイド等のアクチュエータを用いて駆動することができる。
【００３３】
（３）このようにして、遊技終了時には全ての手持ち球を機外ドル箱に確実に排出させることができる。
【００３４】
なお、球皿２０の球抜き穴３４は、パチンコ機の一体皿式の球抜き穴と同様に、遊技球に大当たりした際、遊戯を続けながら球抜きを行うことができるような構造、すなわち球抜き穴３４が開放した時でも、図６にイメージを示すように球の一部が球皿下流のリフタ経路２６に流れていくように、該球抜き穴３４の周囲外側に沿って狭い経路を残した形状になっている。
【００３５】
（４）図７に球皿２０を破断した状態を示すように、更なる工夫として、本実施形態では、前述したように、経路出口３８から排出された球が、確実に球抜き穴３４を通して機外へ排出させることができるように、球皿２０の底部に一段低くした溝部４０を設け、その周囲に形成されている段差４０Ａにより遊技球を案内して球抜き穴３４に導き、該球抜き穴３４より下流へは流れないようにしている。
【００３６】
従って、取込装置３２から球皿２０へ払い出された手持ちの遊技球を確実に機外へ排出させることができる。
【００３７】
以上詳述した本実施形態によれば、一体皿式のパロットにおいて、遊技終了時には全遊技球の球抜きを確実に行うことができる。
【００３８】
なお、前記実施形態では、遊技球Ｂを溝部４０の段差４０Ａで球抜き穴３４に案内する球皿２０の例を示したが、さらに確実に誘導できるように、該段差４０Ａを、図８に示すように仕切り効果がある壁部４０Ｂとしてもよい。
【図面の簡単な説明】
【００３９】
【図１】本発明に係る一実施形態の回胴式遊技機全体を示す分解斜視図
【図２】上記回胴式遊技機の遊技枠を拡大して示す斜視図
【図３】上記回胴式遊技機の球皿を中心とした機構の概略を示す拡大斜視図
【図４】遊技球が貯留されている球皿を上から見た状態を示す平面図
【図５】図４の球皿から球抜き穴を介して遊技球を排出した状態を示す平面図
【図６】開放された球抜き穴と下流側に一部流れた遊技球の関係を説明するための球皿の平面図
【図７】経路出口から排出された遊技球を球抜き穴に誘導する段差を有する溝部を示す球皿の破断斜視図
【図８】図７の段差に代えて壁部を形成した状態の溝部を示す球皿の破断斜視図
【符号の説明】
【００４０】
１０…外枠
１２…遊技枠
１４…前面扉
１６…リール装置
１８…回胴部
２０…球皿
２２…賞球払出し口
２４…受皿下部整列部
２６…リフタ経路
２８…リフタ機構
３０…リフタ取込経路
３２…取込装置
３４…球抜き穴
３４Ａ…球抜きレバー
３６…球抜き経路
３８…球抜き経路出口
４０…溝部
４０Ａ…段差
４０Ｂ…壁部
【図１】
2009226161.tif 000003
【図２】
2009226161.tif 000004
【図３】
2009226161.tif 000005
【図４】
2009226161.tif 000006
【図５】
2009226161.tif 000007
【図６】
2009226161.tif 000008
【図７】
2009226161.tif 000009
【図８】
2009226161.tif 000010